(57)【要約】【課題】表示色の色合いや色調の調整及び安定化を実現し、フルカラー表示に要求される好適な白バランスを実現できるカラーフィルタ基板、液晶装置、及び電子機器を提供する。【解決手段】単位画素ＰＸ内に、複数のドットＤ１，Ｄ２，Ｄ３と、複数色の着色層ＣＹＭと、を備えるカラーフィルタ基板であって、複数のドットの各々には、画素ＰＸ内に入射する光を反射させる反射領域Ｈと、画素内に入射する光を透過させる透過領域Ｔとが設けられていると共に、複数色の中から選択されたそれぞれ互いに異なる組み合わせの２色の着色層が設けられており、反射領域Ｈには、２色の着色層が平面的に隣接して配置され、透過領域Ｔには、２色の着色層が積層して配置され、複数のドットのうち少なくとも一つのドットの透過領域Ｔは、２色の着色層が積層されずに２色の着色層のうち一方の着色層が形成された部分Ｔ２を有している。【選択図】図３
2006276831.tif 000002
【特許請求の範囲】
【請求項１】
基板上に複数色の着色層を備えるとともに、複数の単位画素を構成してなり、該単位画素内に、複数のサブ画素と、前記複数色の着色層と、を備えるカラーフィルタ基板であって、
前記複数のサブ画素の各々には、
前記画素内に入射する光を反射させる反射領域と、前記画素内に入射する光を透過させる透過領域とが設けられているとともに、前記複数色の中から選択されたそれぞれ互いに異なる組み合わせの２色の着色層が設けられており、
前記反射領域には、前記２色の着色層が平面的に隣接して配置され、
前記透過領域には、前記２色の着色層が積層して配置され、
前記複数のサブ画素のうち少なくとも一つのサブ画素の前記透過領域は、前記２色の着色層が積層されずに前記２色の着色層のうち一方の着色層が形成された部分を有していることを特徴とするカラーフィルタ基板。
【請求項２】
前記反射領域には反射膜が備えられており、該反射膜は前記２色の着色層と前記基板との間に配置されていることを特徴とする請求項１に記載のカラーフィルタ基板。
【請求項３】
前記２色の着色層が積層されずに前記２色の着色層のうち一方の着色層が形成された部分は、前記透過領域の両端に設けられていること、
を特徴とする請求項１又は請求項２に記載のカラーフィルタ基板。
【請求項４】
前記２色の着色層が積層されずに前記２色の着色層のうち一方の着色層が形成された部分は、前記透過領域内において前記２色の着色層のうち他方の着色層が切り欠かれている部分であることを特徴とする請求項１乃至３のいずれか１項に記載のカラーフィルタ基板。
【請求項５】
前記２色の着色層が積層されずに前記２色の着色層のうち一方の着色層が形成された部分は、前記透過領域内において前記２色の着色層のうち他方の着色層が開口された部分であることを特徴とする請求項１乃至３のいずれか１項に記載のカラーフィルタ基板。
【請求項６】
前記複数色の着色層の各々は、シアン色、イエロー色、及びマゼンタ色であること、
を特徴とする請求項１から請求項５のいずれか一項に記載のカラーフィルタ基板。
【請求項７】
前記複数のサブ画素のうち少なくとも一のサブ画素の前記反射領域においては、
前記２色の着色層は、各々の表面積が異なるように形成されていること、
を特徴とする請求項１から請求項６のいずれか一項に記載のカラーフィルタ基板。
【請求項８】
前記２色の着色層の各々は、
相互に隣接する前記サブ画素の間を跨いで形成されていること、
を特徴とする請求項１から請求項７のいずれか一項に記載のカラーフィルタ基板。
【請求項９】
前記反射領域においては、前記着色層の層厚を調整する着色層厚調整部が前記着色層と前記基板との間に設けられていること、
を特徴とする請求項１から請求項８のいずれか一項に記載のカラーフィルタ基板。
【請求項１０】
前記反射領域及び前記透過領域においては、当該反射領域及び当該透過領域の各々における表層の着色層を被覆する平坦化層が設けられていること、
を特徴とする請求項１から請求項９のいずれか一項に記載のカラーフィルタ基板。
【請求項１１】
前記反射領域及び前記透過領域においては、シアン色、イエロー色、及びマゼンタ色の前記着色層のうち、イエロー色の着色層の面積が最も小さいこと、
を特徴とする請求項１から請求項１０のいずれか一項に記載のカラーフィルタ基板。
【請求項１２】
対向配置された一対の基板間に液晶層が挟持され、反射膜と複数色の着色層とを備えて、複数の単位画素を構成する液晶装置であって、
各単位画素は、複数のサブ画素を有して構成されるとともに、該単位画素の領域には前記複数色の着色層が配置されており、
前記複数のサブ画素の各々には、前記画素内に入射する光を前記反射膜によって反射させる反射領域と、前記画素内に入射する光を透過させる透過領域とが設けられているとともに、前記複数色の中から選択されたそれぞれ互いに異なる組み合わせの２色の着色層が配置されており、
前記反射領域には、前記２色の着色層が平面的に隣接して配置され、
前記透過領域には、前記２色の着色層が積層して配置され、
前記複数のサブ画素のうち少なくとも一つのサブ画素の前記透過領域は、前記２色の着色層が積層されずに前記２色の着色層のうち一方の着色層が形成された部分を有していること
を特徴とする液晶装置。
【請求項１３】
表示部を備える電子機器であって、
前記表示部は、請求項１２に記載の液晶装置であること、
を特徴とする電子機器。
【発明の詳細な説明】
【技術分野】
【０００１】
本発明は、カラーフィルタ基板、液晶装置、及び電子機器に関する。
【背景技術】
【０００２】
従来、液晶装置においては、光源の光を利用して表示を行う透過表示領域と、太陽光等の外光を利用して表示を行う反射表示領域とを共に具備する半透過反射型の液晶装置が知られている。このような液晶装置では、暗所でも表示を視認することができると共に、明所では外光を利用して表示を行うことができるため、常時光源を点灯する必要のある透過型と比較して、省電力化を図ることが可能となる。
【０００３】
ところで、このような半透過反射型の液晶装置においては、透過表示の際には、バックライト光がカラーフィルタの着色層を１回のみ透過して観察者側に出射されるのに対し、反射表示の際には、外光が反射部材により反射される前と、反射部材により反射された後の計２回、カラーフィルタの着色層を透過して観察者側に出射されることになる。従って、着色層を透過した外光の色とバックライト光の色とを比較すると、濃淡の差異が生じてしまう。そこで、半透過反射型の液晶装置においては、透過表示における着色層の厚さを反射表示よりも大きくし、透過表示の色と反射表示の色との差異を抑制して、濃淡を均一にする必要があった。更に、フルカラー表示を実現するには、透過表示領域及び反射表示領域の各々において、Ｒ（赤色）／Ｇ（緑色）／Ｂ（青色）の３色の着色層を設ける必要がある。そのため、当該透過表示領域及び反射表示領域の各々に、３色の着色層の膜厚を異ならせて形成することにより、合計６回にわたるフォトリソグラフィ工程を行う必要であった。
【０００４】
近年では、Ｃ（シアン）／Ｙ（イエロー）／Ｍ（マゼンタ）の着色層を利用し、これらのうち２色を重ねて形成した透過表示領域と、２色を並べて形成した反射表示領域とを備える半透過反射型の液晶装置が提案されている（特許文献１参照）。これによれば、Ｃ／Ｙ／Ｍの３色のうち選択された２色を混色させて、Ｒ／Ｇ／Ｂの各々の表示色が実現可能となると共に、フォトリソグラフィ工程を半分に削減することが可能となる。
【特許文献１】特開２００３−１６１９３３号公報
【発明の開示】
【発明が解決しようとする課題】
【０００５】
しかしながら、本発明者らは、上記の特許文献は表示色の色合いや色調を調整することが困難であると共に、これらを安定化させることが困難であることを見出した。
本発明は、上述の課題に鑑み創案されたもので、表示色の色合いや色調の調整及び安定化を実現し、フルカラー表示に要求される好適な白バランスを実現できるカラーフィルタ基板、液晶装置、及び電子機器を提供することを目的とする。
【課題を解決するための手段】
【０００６】
本発明者らは、フルカラーディスプレイの色設計の見地から、色合いや色調が好適な表示を実現するために要求される、３色の着色層の各々における色波長や、当該３色の着色層によって表現される白バランスについて検討した。
そして、本発明者らは、着色層を構成する一般的な色材自体が理想的なフルカラー表示を表現するための色波長を有していないという問題点や、白バランスの調整が色材自体の選択に委ねられてしまうという問題点を見出し、その結果として色設計の自由度が狭くなってしまうという問題点も見出した。
ここで、上記の特許文献は、ＣＹＭのうち選択された２色を混色させてＲＧＢの各々の表示色を実現するものであるが、色材自体の特性、白バランスの調整、色設計の自由度、の各々の問題を解決するものではないことが本発明者らによって確認された。また、上記の特許文献は、２色を重ね合わせたり、隣り合わせたりする構成であるため、着色層の形成工程においてアライメントのずれが生じてしまうだけで色合いや色調が不安定になってしまうという問題を有していた。
そこで、本発明者らは、上記に基づいて以下の手段を有する本発明を想到した。
【０００７】
即ち、本発明のカラーフィルタ基板は、基板上に複数色の着色層を備えるとともに、複数の単位画素を構成してなり、該単位画素内に、複数のサブ画素と、前記複数色の着色層と、を備えるカラーフィルタ基板であって、前記複数のサブ画素の各々には、前記画素内に入射する光を反射させる反射領域と、前記画素内に入射する光を透過させる透過領域とが設けられているとともに、前記複数色の中から選択されたそれぞれ互いに異なる組み合わせの２色の着色層が設けられており、前記反射領域には、前記２色の着色層が平面的に隣接して配置され、前記透過領域には、前記２色の着色層が積層して配置され、前記複数のサブ画素のうち少なくとも一つのサブ画素の前記透過領域は、前記２色の着色層が積層されずに前記２色の着色層のうち一方の着色層が形成された部分を有していることを特徴としている。
【０００８】
ここで、反射領域とは、上記のように２色の着色層が隣り合わされている領域であると共に、当該２色の着色層が反射部材上に形成された領域である。このような反射領域においては、観察者側から光が入射すると、当該光は着色層を介して反射部材に到達した後に、反射部材から観察者側に向けて反射光が出射されるようになっている。また、当該反射領域を微視的に見ると、２色の着色層は重ね合わせて形成されたものではないが、２色の着色層を透過して得られる反射光を巨視的に見ると、２色の着色層が混色されたような表示光を実現できる。従って、反射領域においては、２色の着色層を混色させた色合いを実現することができる。
【０００９】
また、透過領域とは、上記のように２色の着色層が重ね合わされている領域であると共に、当該２色の着色層が透過性部材上に形成された領域である。このような透過領域においては、観察者側の反対側から光が入射すると、当該光は透過性部材を経て２色の着色層を透過し、観察者側に向けて透過光が出射されるようになっている。従って、透過領域においては、２色の着色層を混色させた色合いを実現することができる。
更に、複数のサブ画素のうち少なくとも一つのサブ画素の透過領域は、２色の着色層が積層されずに２色の着色層のうち一方の着色層が形成された部分を有している。
換言すれば、複数のサブ画素のうち少なくとも一つのサブ画素の透過領域においては、透過領域は、透過領域は２色の着色層が重ね合わされてなる部分と、透過領域は１色の着色層からなる部分（２色の着色層のうち、一方の色の着色層からなる部分）と、によって構成されたものとなっている。
従って、１色の着色層からなる部分においては、単色光を生じさせることができる。従って、透過領域においては、２つの着色層を透過することで生じる混色と、１色の着色層のみを透過することで生じる単色と、を同時に生じさせることができる。
ここで、１色の着色層の平面形状を所望に設定すれば、当該平面形状の開口面積が調整され、透過領域における混色と単色の割合が調整可能となり、色合いや色調を調整できる。また、換言すれば、透過領域の色設計の自由度を広げることができる。
【００１０】
そして、上記のように透過領域における色合いや色調を容易に調整できることから、単位画素毎における色合いや色調が調整され、好適な白バランスが得られた表示色を実現できる。また、カラーフィルタ基板を巨視的に見ても、単位画素毎に色合いや色調が調整され、また、白バランスも得られたものとなり、画質向上を実現できる。
これに対して、上記の特許文献においては、単色領域と混色領域のみを形成するものであるため、単位画素における色合いや色調、白バランスを好適に得られるように工夫がなされていない。本発明においては、透過領域に２色の着色層を重なっている部分と、１色の着色層からなる部分とを設けたことによって、容易に色合いや色調を調整できるので、広い自由度で色設計を行うことができる。
【００１１】
また、本発明のカラーフィルタ基板においては、前記２色の着色層が積層されずに前記２色の着色層のうち一方の着色層が形成された部分は、前記透過領域の両端に設けられていること、を特徴としている。
また、前記２色の着色層が積層されずに前記２色の着色層のうち一方の着色層が形成された部分は、前記透過領域内において前記２色の着色層のうち他方の着色層が切り欠かれている部分であることが好ましい。
また、前記２色の着色層が積層されずに前記２色の着色層のうち一方の着色層が形成された部分は、前記透過領域内において前記２色の着色層のうち他方の着色層が開口された部分であることが好ましい。
【００１２】
ここで、透過領域の両端とは、サブ画素の長辺方向或いは短辺方向における透過領域の一端及び他端を意味する。
また、「２色の着色層が積層されずに２色の着色層のうち一方の着色層が形成された部分」を単色部とすると、当該単色部は上記構成における「透過領域内において２色の着色層のうち他方の着色層が開口された部分」に相当することとなる。
【００１３】
このようにすれば、着色層のパターニング工程においてフォトマスクのアライメントがサブ画素の長辺方向或いは短辺方向にずれてしまった場合に、一端側の単色部の面積が増加し、他端側の単色部の面積が減少し、結果的に単色部の開口面積の増加量と減少量が同じになる。即ち、アライメントのずれが生じても単色部の開口面積が変化することがない。
これにより、フォトマスクのアライメントのズレを許容する構造を実現でき、単色部の開口面積の増減に起因する透過領域の混色と単色の割合のズレを抑制できる。従って、透過領域における混色と単色の割合を安定化させることができ、カラーフィルタ基板の色合いや色調、白バランスを安定化させることができる。
【００１４】
また、透過領域の両端の各々において、単色部が形成されている部分の長さは、両端の辺の長さよりも短いことが好ましい。ここで、透過領域の両端全体に単色部が開口して形成されている場合、換言すれば、単色部が開口して形成されている部分の長さと、両端の辺の長さとが等しい場合には、フォトマスクのアライメントのズレが生じると、単色部の開口部の全体としての開口面積は変わらないものの、相殺される単色部の開口面積の増加量及び減少量が大きくなってしまう。
これに対して、両端の各々に切欠が形成されて単色部が設けられている場合、換言すれば、単色部が形成されている部分の長さが、両端の辺の長さよりも短い場合には、フォトマスクのアライメントのズレが生じると、単色部の全体としての開口面積は変わらないものの、相殺される開口面積の増加量及び減少量が、上記の場合よりも少なくすることができる。また、このように透過領域の両端に形成される単色部の開口形状、換言すれば、切欠形状は、半円形状や矩形形状であることが好ましい。
【００１５】
また、本発明のカラーフィルタ基板においては、前記複数色の着色層の各々は、シアン色、イエロー色、及びマゼンタ色であること、を特徴としている。
ここで、反射領域について説明すると、シアン色及びイエロー色を隣り合わせることにより反射領域を構成すれば、反射光を巨視的に見ると２色が混色された緑色の表示光を実現できる。また、イエロー色及びマゼンタ色を隣り合わせることにより反射領域を構成すれば、反射光を巨視的に見ると２色が混色された赤色の表示光を実現できる。また、シアン色及びマゼンタ色を隣り合わせることにより反射領域を構成すれば、反射光を巨視的に見ると２色が混色された青色の表示光を実現できる。
【００１６】
また、透過領域について説明すると、シアン色及びイエロー色を重ね合わせることにより透過領域を構成すれば、透過光としては２色が混色された緑色の表示光を実現できる。
また、イエロー色及びマゼンタ色を重ね合わせることにより透過領域を構成すれば、透過光としては２色が混色された赤色の表示光を実現できる。また、シアン色及びマゼンタ色を重ね合わせることにより透過領域を構成すれば、透過光としては２色が混色された青色の表示光を実現できる。
また、複数のサブ画素のうち少なくとも一のサブ画素の透過領域においては、上記の単色部が設けられているので、当該透過領域は、混色された表示光を実現できると共に、シアン色、イエロー色、及びマゼンタ色のいずれかの単色の表示光を実現できる。
【００１７】
そして、上記のように、透過領域には単色部が設けられているので、透過領域における赤色、緑色、青色の各々の色について、色合いや色調を調整することができる。そして、各色の色合いや色調を各々調整することにより、好適な白バランスが得られたカラーフィルタ基板を実現できる。
【００１８】
また、本発明のカラーフィルタ基板においては、前記反射領域には反射膜が備えられており、該反射膜は前記２色の着色層と前記基板との間に配置されていることを特徴としている。
【００１９】
本発明によれば、外部（観察者側）から入射した光は、着色層を介して反射膜に到達した後に、反射膜によって外部（観察者側）に向けて出射される。これにより、外光を利用した反射表示を行うことができる。
【００２０】
また、本発明のカラーフィルタ基板においては、前記複数のサブ画素のうち少なくとも一のサブ画素の前記反射領域においては、前記２色の着色層は、各々の表面積が異なるように形成されていること、を特徴としている。
このように反射領域における２色の着色層が、異なる表面積で形成されることにより、表面積が小さい着色層の表示光よりも、表面積が大きい着色層の表示光の光量が多くすることが可能となる。ここで、２色の着色層の表面積が同じ場合と比較すると、巨視的に反射領域を見た際に、表面積の大小に伴って混色の程度が異なることとなる。
従って、反射領域における着色層の各々の表面積を異ならせることによって、２色の混色の程度が調整可能となり、色合いや色調を調整することができる。また、具体的には、反射領域における赤色、緑色、青色の各々の色について、色合いや色調を調整することができる。
従って、本発明によれば、透過領域における色合いや色調を調整可能となるだけでなく、反射領域においても色合いや色調を調整することができる。従って、好適な白バランスが得られたカラーフィルタ基板を実現できる。
【００２１】
また、本発明のカラーフィルタ基板においては、前記２色の着色層の各々は、相互に隣接する前記サブ画素の間を跨いで形成されていること、を特徴としている。
このようにすれば、各々の着色層のみによって、各サブ画素の反射領域及び透過領域の一部を形成することができる。
また、第１の単色の着色層と、第２の単色の着色層とが、各サブ画素の両端において、相互に隣接するサブ画素の間を跨ぐように形成されることにより、各サブ画素の反射領域及び透過領域を形成することができる。
【００２２】
また、本発明のカラーフィルタ基板においては、前記反射領域においては、前記着色層の層厚を調整する着色層厚調整部が前記着色層と前記基板との間に設けられていること、を特徴としている。
ここで、着色層厚調整部とは、カラーフィルタ基板の基板本体側と、反射領域の着色層との間に設けられた部材であり、透過領域と反射領域の着色層の層厚を調整するものである。このような着色層厚調整部が設けられていない場合では、着色層が重なり合って形成されている透過領域と、着色層が隣り合って形成されている反射領域とにおいて、段差が形成されてしまうが、着色層厚調整部が設けられていることにより、段差が形成される部分を底上げすることができる。これによって、透過領域の単色部が形成されていない部分、換言すれば透過領域の着色層が重なり合っている部分と、反射領域の着色層とを、基板本体側から同じ高さで形成することができる。
また、着色層厚調整部の表面には、微細な凹凸が形成されていると共に、当該微細な凹凸上には反射膜が形成されている。これによって、反射領域は光散乱性を有するものとなる。
【００２３】
また、本発明のカラーフィルタ基板においては、前記反射領域及び前記透過領域においては、当該反射領域及び当該透過領域の各々における表層の着色層を被覆する平坦化層が設けられていること、を特徴としている。
ここで、平坦化層は、湿式成膜法によって形成されていることが好ましい。
上記のように、本発明においては、透過領域の着色層に単色部が設けられているが、当該単色部の形成部分と単色部の非形成部分（２色の着色層が重なり合っている部分）とにおいて段差が生じてしまう。そこで、本発明のように、平坦化層が設けられることによって、当該平坦化層によって単色部の形成部分が埋設され、透過領域の表面を平坦化することができる。
また、上記の着色層厚調整部が設けられることによって、透過領域と反射領域との段差が底上げされているが、着色層自身の膜厚の誤差や平坦性のバラツキ、或いは色の設計上の調整に起因して、着色層厚調整部のみでは透過領域及び反射領域における着色層の高さを同一にすることが困難である。そこで、本発明のように、平坦化層が設けられることによって、透過領域及び反射領域における表層の着色層の表面を確実に平坦化することができる。
また、平坦化層が、湿式成膜法によって形成されることにより、単色部の形成部分や、透過領域と反射領域における表層の着色層の凹凸部分を滑らかに被覆することができ、平坦化の効果をより一層向上させることができる。
【００２４】
また、本発明のカラーフィルタ基板においては、前記反射領域及び前記透過領域においては、シアン色、イエロー色、及びマゼンタ色の前記着色層のうち、イエロー色の着色層の面積が最も小さいこと、を特徴としている。
ここで、イエロー色の着色層の面積が多い場合では、シアン色、イエロー色、及びマゼンタ色からなる単位画素における色三角形が、イエロー色の側に分布する傾向があり、好適な白バランスが得られないことが本発明者らによって確認されている。そこで、本発明のように、イエロー色の着色層の面積を最小にすることで、色三角形がイエロー色の側に分布するのを抑制し、白バランスが好適に得られた色三角形を実現できる。
【００２５】
また、本発明は、上記の３色のうち特にイエロー色の面積を最小にすることによって効果的に白バランスを得ることができるものであるが、更に、シアン色及びマゼンタ色の面積を調整することにより、好適な白バランスを補完的に実現することができる。
本発明者らの知見においては、マゼンタ色の面積を大きくすれば、色三角形がイエロー色の側に分布するという傾向を概ね抑制できるものの、単にマゼンタ色の面積を最大にすればよいというものではないことが見出されている。また、マゼンタ色の面積の大小と、好適な白バランスの実現は、必ずしも一義的な関係で成り立つものではないことも確認している。
従って、イエロー色の面積を最小にすることによって、好適な白バランスを実現できると共に、シアン色とマゼンタ色の面積を調整することによって、好適な白バランスを補完的に実現することができる。
【００２６】
また、本発明の液晶装置は、対向配置された一対の基板間に液晶層が挟持され、反射膜と複数色の着色層とを備えて、複数の単位画素を構成する液晶装置であって、各単位画素は、複数のサブ画素を有して構成されるとともに、該単位画素の領域には前記複数色の着色層が配置されており、前記複数のサブ画素の各々には、前記画素内に入射する光を前記反射膜によって反射させる反射領域と、前記画素内に入射する光を透過させる透過領域とが設けられているとともに、前記複数色の中から選択されたそれぞれ互いに異なる組み合わせの２色の着色層が配置されており、前記反射領域には、前記２色の着色層が平面的に隣接して配置され、前記透過領域には、前記２色の着色層が積層して配置され、前記複数のサブ画素のうち少なくとも一つのサブ画素の前記透過領域は、前記２色の着色層が積層されずに前記２色の着色層のうち一方の着色層が形成された部分を有していることを特徴としている。
本発明の液晶装置によれば、先に記載のカラーフィルタ基板を備えるので、色合いや色調が調整され、好適な白バランスが得られた表示色を実現できる。
【００２７】
また、本発明の電子機器は、表示部を備える電子機器であって、前記表示部は先に記載の液晶装置であること、を特徴としている。
ここで、電子機器としては、例えば、携帯電話機、移動体情報端末、時計、ワープロ、パソコンなどの情報処理装置などを例示することができる。
従って、本発明によれば、先に記載の液晶装置からなる表示部を備えるので、当該表示部によって色合いや色調が調整され、好適な白バランスが得られた表示色を実現できる。
【発明を実施するための最良の形態】
【００２８】
（第１実施形態）
以下、本発明の液晶装置に係る第１実施形態について図面を参照しつつ説明する。
なお、各図において、各層や各部材を図面上で認識可能な程度の大きさとするため、各層や各部材毎に縮尺を異ならせてある。
【００２９】
以下に示す本実施形態の液晶装置は、スイッチング素子として薄膜ダイオード（Thin Film Diode、以下、ＴＦＤと略記する）を用いたアクティブマトリクス型であり、使用する液晶の種類としてＴＮ（Twisted Nematic）モードを採用している。また、特に本実施形態の液晶装置は、外光を利用して表示を可能にした反射表示と、バックライトからの光を利用して表示を可能にした透過表示と、を行う半透過反射型の液晶装置である。
【００３０】
図１は、本実施形態の液晶装置１００についての等価回路を示している。この液晶装置１００は、走査信号駆動回路１１０及びデータ信号駆動回路１２０を含んでいる。液晶装置１００には、信号線として、複数の走査線１３と、当該走査線１３と交差する複数のデータ線９とが設けられ、走査線１３は走査信号駆動回路１１０により、データ線９はデータ信号駆動回路１２０により、各々駆動される。そして、各画素領域１５０において、走査線１３とデータ線９との間にＴＦＤ素子４０と液晶表示要素１６０（後述する液晶層５０）とが直列に接続されている。
なお、図１では、ＴＦＤ素子４０が走査線１３側に接続され、液晶表示要素１６０がデータ線９側に接続されているが、これとは逆にＴＦＤ素子４０をデータ線９側に、液晶表示要素１６０を走査線１３側に設ける構成としてもよい。
【００３１】
次に、図２に基づいて、本実施形態の液晶装置１００に具備された電極の平面構造について説明する。
図２に示すように、本実施形態の液晶装置１００では、走査線１３に対しＴＦＤ素子４０を介して接続された画素電極（第１電極）３１がマトリクス状に設けられており、当該画素電極３１と紙面垂直方向に平面的に対向して共通電極（第２電極）９が短冊状に設けられている。共通電極９は、図１におけるデータ線９と同一であり、走査線１３と交差する形のストライプ形状を有している。本実施形態において、各画素電極３１が形成された個々の領域が１つのサブ画素領域（ドット領域）Ｄであり、マトリクス状に配置された各サブ画素領域（ドット領域）ＤにＴＦＤ素子４０が具備され、当該サブ画素領域（ドット領域）Ｄ毎に表示が可能な構成になっている。
【００３２】
次に、図３から図５に基づいて本実施形態の液晶装置１００の画素構成について説明する。
図３は、液晶装置１００の画素構成を説明するための図であって、図３（ａ）は、単位画素内の画素電極３１の平面を示す模式図、図３（ｂ）は単位画素内の着色層の平面を示す模式図である。また、図４及び図５は液晶装置１００の断面構造及び画素構成を説明するための図であって、図４（ａ）は図３（ｂ）のＡ−Ａ’断面を示す模式図、図４（ｂ）は図３（ｂ）のＢ−Ｂ’断面を示す模式図、図４（ｃ）は図３（ｂ）のＣ−Ｃ’断面を示す模式図、図５は図３（ｂ）のＥ−Ｅ’断面を示す模式図である。
【００３３】
図３（ａ）に示すように、サブ画素領域（ドット領域）Ｄは、共通電極９の延在方向（図２参照）に向けて等間隔に並設されて構成されている。そして、当該並設された複数のサブ画素領域（ドット領域）Ｄのうち、連続して隣接している３つのサブ画素領域（ドット領域）Ｄ１，Ｄ２，Ｄ３が一つの群となることで、画素ＰＸが構成されている。また、画素ＰＸは、液晶装置１００においてマトリクス状に複数設けられた構成となっている。
また、画素ＰＸにおける３つのサブ画素領域（ドット領域）Ｄ１，Ｄ２，Ｄ３の各々は、後述するようにＲＧＢの表示色を巨視的に生じさせると共に、画素電極３１と共通電極９との間に印加される電圧に伴わせて表示色を階調させるようになっている。従って、画素ＰＸは、ＲＧＢの表示色を混色かつ階調させて、フルカラー表示を行うようになっている。
【００３４】
サブ画素領域（ドット領域）Ｄ１，Ｄ２，Ｄ３の各々は、画素電極３１と、ＴＦＤ素子４０とを備えて構成されている。
ここで、画素電極３１は、インジウム錫酸化物（Indium Tin Oxide、以下、ＩＴＯと略記する）等の透明導電膜によって構成されたものである。また、本実施形態においては、画素電極３１の平面形状が矩形形状となっており、これにより縦電界方式のＴＮモードの液晶を矩形形状の面内において好適に駆動させるようになっている。
なお、画素電極３１の平面形状は、矩形形状を限定するものではなく、使用する液晶の種類によって好適な形状のものが採用される。例えば、誘電率異方性が負の液晶を垂直に配向させ、選択電圧印加によってこれを倒すＶＡ（Vertical Alignment）モードの場合においては、画素電極３１に突起或いはスリットからなる配向規制手段を設ける構成や、複数のサブ画素（ドット）を形成して垂直配向液晶を配向分割させる構成等が採用される。或いは、横電界方式として知られているＩＰＳ（In Plane Switching）モードの場合においては、画素電極３１を櫛歯状に形成した構成が採用される。
【００３５】
また、ＴＦＤ素子４０は、走査線１３と画素電極３１とを接続するスイッチング素子であって、ＴＦＤ素子４０は、Ｔａを主成分とする第１導電膜と、第１導電膜の表面に形成され、Ｔａ２Ｏ３を主成分とする絶縁膜と、絶縁膜の表面に形成され、Ｃｒを主成分とする第２導電膜とを含むＭＩＭ（Metal-Insulator-Metal）構造を具備して構成されている。そして、ＴＦＤ素子４０の第１導電膜が走査線１３に接続され、第２導電膜が画素電極３１に接続されている。
また、走査線１３は、図３（ａ）においては隣接する画素電極３１の間に設けられ、当該画素電極３１の長辺方向に延在しているが、実際には層間絶縁膜によって走査線１３が被覆された構成となっている。
【００３６】
更に、サブ画素領域（ドット領域）Ｄ１，Ｄ２，Ｄ３の各々は、後に詳述する反射領域Ｈ及び透過領域Ｔを備えており、反射領域Ｈにおいて外光を利用した反射表示と、透過領域Ｔにおいてバックライトからの光を利用した透過表示と、を行うようになっている。
【００３７】
図３（ｂ）に示すように、サブ画素領域（ドット領域）Ｄ１，Ｄ２，Ｄ３には、共通電極９の延在方向（図２参照）に向けて３色の着色層が設けられている。
ここで、３色の着色層とは、Ｃ（シアン）／Ｙ（イエロー）／Ｍ（マゼンタ）の各色の着色層を意味している。ここで、当該３色の着色層から選択される、異なる組み合わせの２色の着色層は、反射領域Ｈにおいて互いに隣り合わされて形成され、透過領域Ｔにおいて互いに重ね合わされて形成されている。更に、透過領域Ｔにおいては、２色の着色層のうち一方の着色層に開口部（２色の着色層のうち他方の着色層が開口された部分、切欠）Ｔ２が形成されており、当該開口部Ｔ２においては他方の着色層からなる単色部（２色の着色層が積層されずに２色の着色層のうち一方の着色層が形成された部分）が設けられたものとなっている。
【００３８】
具体的に説明すると、サブ画素領域（ドット領域）Ｄ１においては、Ｙ及びＭの着色層からなる反射領域Ｈ及び透過領域Ｔが具備されている。そして、反射領域Ｈは、Ｙ及びＭの着色層が隣り合わされることによって構成されており、透過領域Ｔは、Ｙ及びＭの着色層が重ね合わされて形成された重なり部Ｔ１と、Ｙの着色層に形成された開口部Ｔ２とを具備して構成されている。また、透過領域Ｔの構成を換言すると、Ｙの着色層に開口部Ｔ２が形成されることにより、Ｍの着色層の単色部が設けられていることから、透過領域ＴはＹ及びＭの重なり部Ｔ１とＭの単色部とによって構成されたものとなっている。
【００３９】
また、サブ画素領域（ドット領域）Ｄ２においては、Ｍ及びＣの着色層からなる反射領域Ｈ及び透過領域Ｔが具備されている。そして、反射領域Ｈは、Ｍ及びＣの着色層が隣り合わされることによって構成されており、透過領域Ｔは、Ｍ及びＣの着色層が重ね合わされて形成された重なり部Ｔ１と、Ｍの着色層に形成された開口部Ｔ２とを具備して構成されている。また、透過領域Ｔの構成を換言すると、Ｍの着色層に開口部Ｔ２が形成されることにより、Ｃの着色層の単色部が設けられていることから、透過領域ＴはＭ及びＣの重なり部Ｔ１とＣの単色部とによって構成されたものとなっている。
【００４０】
また、サブ画素領域（ドット領域）Ｄ３においては、Ｃ及びＹの着色層からなる反射領域Ｈ及び透過領域Ｔが具備されている。そして、反射領域Ｈは、Ｃ及びＹの着色層が隣り合わされることによって構成されており、透過領域Ｔは、Ｃ及びＹの着色層が重ね合わされて形成された重なり部Ｔ１と、Ｙの着色層に形成された開口部Ｔ２とを具備して構成されている。また、透過領域Ｔの構成を換言すると、Ｙの着色層に開口部Ｔ２が形成されることにより、Ｃの着色層の単色部が設けられていることから、透過領域ＴはＣ及びＹの重なり部Ｔ１とＣの単色部とによって構成されたものとなっている。
【００４１】
そして、サブ画素領域（ドット領域）Ｄ１，Ｄ２，Ｄ３の各々においては、開口部Ｔ２の開口面積が調整されることにより、当該サブ画素領域（ドット領域）Ｄ１，Ｄ２，Ｄ３の各々の透過領域Ｔにおける色合いや色調の調整が可能となり、また、単位画素ＰＸの色合いや色調の調整も可能となる。
例えば、サブ画素領域（ドット領域）Ｄ１において、開口部Ｔ２の開口面積を大きくすると、Ｍの着色層の単色部面積が大きくなり、Ｍの着色層の色合いや色調を強めた透過領域Ｔが実現可能となる。また、反対に、開口部Ｔ２の開口面積を小さくすると、Ｙの着色層の色合いや色調を強めた透過領域Ｔが実現可能となる。従って、サブ画素領域（ドット領域）Ｄ１においてＹ及びＭの着色層からなる透過領域Ｔの色合いや色調を調整することが可能となる。
また、サブ画素領域（ドット領域）Ｄ２において、開口部Ｔ２の開口面積を大きくすると、Ｃの着色層の単色部面積が大きくなり、Ｃの着色層の色合いや色調を強めた透過領域Ｔが実現可能となる。また、反対に、開口部Ｔ２の開口面積を小さくすると、Ｍの着色層の色合いや色調を強めた透過領域Ｔが実現可能となる。従って、サブ画素領域（ドット領域）Ｄ２においてＭ及びＣの着色層からなる透過領域Ｔの色合いや色調を調整することが可能となる。
また、サブ画素領域（ドット領域）Ｄ３において、開口部Ｔ２の開口面積を大きくすると、Ｃの着色層の単色部面積が大きくなり、Ｃの着色層の色合いや色調を強めた透過領域Ｔが実現可能となる。また、反対に、開口部Ｔ２の開口面積を小さくすると、Ｙの着色層の色合いや色調を強めた透過領域Ｔが実現可能となる。従って、Ｙ及びＣの着色層からなる透過領域Ｔの色合いや色調を調整することが可能となる。
なお、本実施形態においては、サブ画素領域（ドット領域）Ｄ１，Ｄ２，Ｄ３の各々に開口部Ｔを設けているが、必ずしも全てのサブ画素領域（ドット領域）に開口部Ｔ２を設ける必要はなく、単位画素ＰＸにおけるサブ画素領域（ドット領域）Ｄ１，Ｄ２，Ｄ３のうち少なくともいずれか一のサブ画素領域（ドット領域）に開口部Ｔ２が設けられていればよい。
【００４２】
また、ＣＹＭの各色の着色層は、サブ画素領域（ドット領域）Ｄ１，Ｄ２，Ｄ３の相互間を跨ぐように設けられている。具体的には、サブ画素領域（ドット領域）Ｄ１，Ｄ２の相互間を跨ぐようにＭの着色層が設けられており、サブ画素領域（ドット領域）Ｄ２，Ｄ３の相互間を跨ぐようにＣの着色層が設けられており、サブ画素領域（ドット領域）Ｄ１，Ｄ３の相互間を跨ぐようにＹの着色層が設けられている。
また、ＣＹＭの各色の着色層について換言すると、図３（ａ）、（ｂ）を見比べれば明らかなように、サブ画素領域（ドット領域）Ｄ１，Ｄ２，Ｄ３の相互間に設けられている走査線１３を跨ぐようにＣＹＭの各色の着色層が設けられている。
【００４３】
また、サブ画素領域（ドット領域）Ｄ１，Ｄ２，Ｄ３の各反射領域Ｈにおいては、表面積を異ならせて２色の着色層が形成されている。換言すれば、２色の着色層の面積比を異ならせて各反射領域Ｈが形成されたものとなっている。これにより、当該サブ画素領域（ドット領域）Ｄ１，Ｄ２，Ｄ３の各々の反射領域Ｈにおける色合いや色調の調整が可能となり、また、単位画素ＰＸの色合いや色調の調整も可能となる。
例えば、サブ画素領域（ドット領域）Ｄ１において、Ｍの着色層の表面積をＹの着色層よりも大きくすれば、Ｍの着色層の色合いや色調を強めた反射領域Ｈが実現可能となる。また、反対に、Ｙの着色層の表面積をＭの着色層よりも大きくすれば、Ｙの着色層の色合いや色調を強めた反射領域Ｈが実現可能となる。従って、サブ画素領域（ドット領域）Ｄ１においてＹ及びＭの着色層からなる反射領域Ｈの色合いや色調を調整することが可能となる。
また、サブ画素領域（ドット領域）Ｄ２において、Ｃの着色層の表面積をＭの着色層よりも大きくすれば、Ｃの着色層の色合いや色調を強めた反射領域Ｈが実現可能となる。また、反対に、Ｍの着色層の表面積をＣの着色層よりも大きくすれば、Ｍの着色層の色合いや色調を強めた反射領域Ｈが実現可能となる。従って、サブ画素領域（ドット領域）Ｄ２においてＭ及びＣの着色層からなる反射領域Ｈの色合いや色調を調整することが可能となる。
また、サブ画素領域（ドット領域）Ｄ３において、Ｃの着色層の表面積をＹの着色層よりも大きくすれば、Ｃの着色層の色合いや色調を強めた反射領域Ｈが実現可能となる。また、反対に、Ｙの着色層の表面積をＣの着色層よりも大きくすれば、Ｙの着色層の色合いや色調を強めた反射領域Ｈが実現可能となる。従って、サブ画素領域（ドット領域）Ｄ３においてＹ及びＣの着色層からなる反射領域Ｈの色合いや色調を調整することが可能となる。
そして、本実施形態においては、サブ画素領域（ドット領域）Ｄ１の反射領域Ｈにおいて、Ｍの着色層はＹの着色層よりも表面積が大きくなるように形成されている。また、サブ画素領域（ドット領域）Ｄ２の反射領域Ｈにおいて、Ｃの着色層はＭの着色層よりも表面積が大きくなるように形成されている。また、サブ画素領域（ドット領域）Ｄ３の反射領域Ｈにおいて、Ｃの着色層はＹの着色層よりも表面積が大きくなるように形成されている。
なお、本実施形態においては、サブ画素領域（ドット領域）Ｄ１，Ｄ２，Ｄ３の反射領域Ｈの各々において着色層の表面積を異ならせているが、必ずしも全てのサブ画素領域（ドット領域）において着色層の表面積を異ならせる必要はなく、単位画素ＰＸにおけるサブ画素領域（ドット領域）Ｄ１，Ｄ２，Ｄ３のうち少なくともいずれか一のサブ画素領域（ドット領域）の反射領域Ｈにおいて着色層の表面積を異ならせればよい。
【００４４】
また、単位画素ＰＸにおいては、反射領域ＨにおけるＣＹＭの着色層のうち、Ｙの着色層の表面積が最も小さくなるように設定されている。また、透過領域Ｔを構成する重なり部Ｔ１においても、ＣＹＭの着色層のうち、Ｙの着色層の重なり面積が最も小さくなるように設定されている。
【００４５】
次に、図４及び図５を参照して、画素ＰＸの断面構造について詳述する。
ここで、図４（ａ）は、透過領域Ｔの重なり部Ｔ１における断面図であり、図４（ｂ）は、透過領域Ｔの開口部Ｔ２における断面図であり、図４（ｃ）は、反射領域Ｈにおける断面図である。
図４（ａ）〜（ｃ）、及び図５に示すように、本実施形態の液晶装置１００は、その断面構造を大別すると、上基板２５と、当該上基板２５に対向配置された下基板（カラーフィルタ基板）１０と、当該両基板２５，１０の間に挟持された液晶層５０と、を備える構成となっている。
【００４６】
ここで、下基板１０は、基板本体（透光性部材）１０Ａから液晶層５０に向けて、着色層Ｃ，Ｙ，Ｍ、着色層厚調整部２４、反射膜（反射部材）２０、平坦化層２３、走査線１３、絶縁層１４、液晶層厚調整層２６、画素電極３１、及び配向膜２７を備えた構成となっている。
【００４７】
基板本体１０Ａは、下基板１０の基材となるものであり、石英、ガラス等の透光性材料からなるものである。また、当該基板本体１０Ａは、一般的には、マザーガラスと呼ばれる大型基板から切り出されたものである。
【００４８】
着色層Ｃ，Ｙ，Ｍは、液晶装置１００の観察者側から入射する外光や、観察者とは反対側から入射するバックライト光をＣＹＭの各々に着色するものである。このような着色層は、当該着色層を透過する前の光における可視光の波長分布（分光特性）のうち、所定の波長領域の可視光を透過させるものである。換言すれば、所定の波長透過特性で、可視光を透過させるものである。従って、Ｃの着色層は、Ｃの波長領域の可視光を透過させるものであり、また、Ｙの着色層は、Ｙの波長領域の可視光を透過させるものであり、また、Ｍの着色層は、Ｍの波長領域の可視光を透過させるものである。
【００４９】
ＣＹＭの着色層の各々は、材料自体が理想的な波長領域を有しておらず、フルカラーの半透過反射型の液晶装置１００を実現するには、透過領域Ｔ及び反射領域ＨにおけるＣＹＭの色合いや色調を調整する必要がある。そこで、先述したように、透過領域Ｔに重なり部Ｔ１及び開口部Ｔ２を設け、単色部と混色部を積極的に形成し、ＣＹＭの着色層の透過領域Ｔにおける色合いや色調を調整するようになっている。また、反射領域Ｈにおいて２色の着色層の表面積を異ならせ、色合いや色調を調整するようになっている。
【００５０】
また、このような着色層を製造する方法としては、例えば、公知のフォトリソグラフィ技術によって着色層を製造する方法が挙げられる。具体的には、下基板１０の全面に一色の着色層を塗布形成した後に、当該着色層上に開口部を有するレジストを形成し、開口部に位置する着色層のみを限定的に除去する方法が挙げられる。当該工程をＣＹＭの各々の着色層について行うことにより、３色の着色層をパターニング形成することができる。
また、感光性の着色層を利用すれば、着色層を限定的に除去するためのレジストが不要になり、工程の簡素化を図ることができる。
また、このようなフォトリソグラフィ技術に限られることなく、インクジェット法（液滴吐出法）を用いて形成してもよい。インクジェット法では、各色の液体材料が充填された吐出ヘッドからＣＹＭの各々の形成材料を所定パターンで基板上に塗布し、乾燥固化することで固体の着色層とする。
【００５１】
着色層厚調整部２４は、基板本体１０Ａの表面（基板本体１０Ａの液晶層５０側）に、部分的に形成されたものであり、その表面にはアルミニウム、銀等の反射率の高い金属膜からなる反射膜２０が形成されている。ここで、反射膜２０の形成領域が反射領域Ｈとなり、反射膜２０の非形成領域、即ち、反射膜２０の開口部２１内が透過領域Ｔとなる。
ここで、着色層厚調整部２４は、その表面に凹凸部２４ａを具備しており、その凹凸部２４ａに倣って、反射膜２０の表面は凹凸形状に形成されている。このように反射膜２０が凹凸形状を有することによって、反射膜２０によって反射する反射光が散乱されるため、外部からの映り込みが防止され、広視野角の反射表示を得ることが可能となっている。
【００５２】
また、着色層厚調整部２４は、基板本体１０Ａと、反射領域Ｈの着色層Ｃ，Ｙ，Ｍとの間に設けられた部材であり、透過領域Ｔと反射領域Ｈの着色層Ｃ，Ｙ，Ｍの層厚を調整するようになっている。そして、図４（ａ）に示すように、着色層厚調整部２４が設けられることにより、着色層Ｃ，Ｙ，Ｍの層厚は、反射領域Ｈよりも、透過領域Ｔにおける重なり部Ｔ１の膜厚が約２倍程度に厚膜に形成されることとなる。これにより、反射領域Ｈの着色層Ｃ，Ｙ，Ｍを透過かつ反射する外光の総光路長と、透過領域Ｔを透過するバックライト光の光路長とが略同じ程度にすることが可能となる。これにより、反射領域Ｈと透過領域Ｔとにおいて光路長の差異によって生じる色合いや色調の相違を改善し、同程度にすることが可能となる。
【００５３】
また、着色層厚調整部２４が設けられていない場合では、透過領域Ｔにおける重なり部Ｔ１と、反射領域Ｈとにおいて、段差が形成されてしまうが、着色層厚調整部２４が設けられていることにより、段差が形成される部分を底上げすることができる。これによって、透過領域Ｔの重なり部Ｔ１及び反射領域Ｈにおいて、基板本体１０Ａ側から同じ高さで着色層Ｃ，Ｙ，Ｍを形成することができる。
【００５４】
なお、このような着色層厚調整部２４は、例えば、フォトリソグラフィ技術を利用することにより、樹脂レジストをパターニングして形成される。また、凹凸部２４ａを形成するには、パターニングされた樹脂レジスト上にもう一層の樹脂を塗布することで当該凹凸部２４ａが得られる。また、パターニングした樹脂レジストに熱処理を加えて形状を調整してもよい。また、階調マスクを利用した露光処理を行い、露光量の差異を利用して凹凸部２４ａを形成してもよい。
【００５５】
平坦化層２３は、着色層Ｃ，Ｙ，Ｍの表面に形成される層膜であり、当該着色層の表面に平坦化を施すためのものである。その材材料としては、例えばアクリル樹脂等の有機膜が採用される。更に、平坦化をより好ましく施すために、スピンコート法等の湿式成膜法によって平坦化層２３は形成されている。このような湿式成膜法によって平坦化層２３が形成されることにより、開口部Ｔ２の形成部分や、透過領域Ｔと反射領域Ｈにおける表層の着色層の凹凸部分を滑らかに被覆することができ、平坦化の効果をより一層向上させることが可能となる。
上記のように、本実施形態においては、透過領域Ｔには、開口部Ｔ２が設けられているが、当該開口部Ｔ２の形成部分と開口部Ｔ２の非形成部分とにおいて段差が生じてしまう。そこで、平坦化層２３が設けられることによって、開口部Ｔ２の形成部分が埋設され、透過領域Ｔの表面を平坦化することが可能となる。また、上記の着色層厚調整部２４が設けられただけでは、改善できない着色層自身の膜厚の誤差や平坦性のバラツキを補完的に改善し、平坦化を施すことが可能となる。
【００５６】
走査線１３は、図３に示したようにＴＦＤ素子４０を介して画素電極３１に接続される配線である。更に、当該走査線１３の表面には、絶縁層１４が形成されており、走査線１３と画素電極３１との絶縁性が向上されたものとなっている。
【００５７】
液晶層厚調整層２６は、反射領域Ｈに対応する位置に形成されたものであり、着色層Ｃ，Ｙ，Ｍを介して反射膜２０の上方に位置するように選択的に形成されている。このような液晶層厚調整層２６は、液晶層５０の層厚を反射領域Ｈと透過領域Ｔとで異ならしめている。
液晶層厚調整層２６は、例えばアクリル樹脂等の有機膜からなり、反射領域Ｈと透過領域Ｔとの境界付近において、自身の層厚が連続的に変化するべく傾斜面を備えている。液晶層厚調整層２６が存在しない部分の液晶層５０の厚みは１μｍ〜５μｍ程度とされ、反射領域Ｈにおける液晶層５０の厚みは透過領域Ｔにおける液晶層５０の厚みの約半分とされている。これにより、反射表示に寄与するリタデーションと透過表示に寄与するリタデーションを略等しくすることができ、コントラストの向上が図られている。また、反射領域Ｈと透過領域Ｔとの間の部分には、液晶層厚調整層２６を緩やかに傾斜させたスロープ部が形成されており、当該スロープ部において液晶層厚調整層２６上の各部材をスロープ形状に倣うように設けている。
【００５８】
画素電極３１は、液晶層厚調整層２６上に形成されたものであり、図４において紙面鉛直方向に延在すると共に、共通電極９に対向配置されたものである。
更に、当該画素電極３１上にはポリイミド等の樹脂材料からなる配向膜２７が形成されている。当該配向膜２７の表面側には、液晶分子のモードに応じたラビング処理や垂直配向処理が施されている。例えば、液晶分子が、ＴＮモード、ＳＴＮである場合には配向膜２７にはラビング処理が施されており、また、誘電異方性が負の液晶分子を有するＶＡモードである場合には、垂直配向処理が施されている。
なお、配向膜２７が垂直配向膜である場合には、ポリイミド膜以外にも、無機膜を採用してもよい。
【００５９】
また、対向基板２５は、基板本体１０Ａから、液晶層５０にむけて、共通電極９及び配向膜３３を備えた構成となっている。
共通電極９は、画素電極３１と同様に、インジウム錫酸化物（Indium Tin Oxide, 以下、ＩＴＯと略記する）からなるものである。当該共通電極９は、図４において紙面左右方向に延在すると共に、画素電極３１に対向配置されたものである。
更に、共通電極９上にはポリイミド等の樹脂材料からなる配向膜３３が形成されている。当該配向膜３３の表面側には、液晶分子のモードに応じたラビング処理や垂直配向処理が施されている。例えば、液晶分子が、ＴＮモード、ＳＴＮ（Super Twisted Nematic）モード、或いはＩＰＳモードである場合には配向膜３３にはラビング処理が施されており、また、誘電異方性が負の液晶分子を有するＶＡモードである場合には、垂直配向処理が施されている。
なお、配向膜３３が垂直配向膜である場合には、ポリイミド膜以外にも、無機膜を採用してもよい。
【００６０】
また、液晶層５０は、画素電極３１及び共通電極９の間に挟持されたものである。そして、当該電極３１、９の間に生じる印加電圧の大きさによって液晶分子の状態は、変化し、これに応じて所定の光学特性を得るものである。当該液晶層５０の材料としては、ＴＮ、ＳＴＮ、ＶＡ、ＩＰＳ等が適宜採用される。
【００６１】
また、液晶装置１００の下基板１０の外側には、バックライトが設けられており、当該バックライトからの光が透過領域Ｔを経て、上基板２５の側に出射されるようになっている。
また、本実施形態の液晶装置１００においては、使用する液晶層５０の種類、即ち、ＴＮモード、ＳＴＮモード、ＶＡモード、或いはＩＰＳモード等の動作モードや、ノーマリホワイトモード／ノーマリーブラックモードの別に応じて、位相差板、偏光板等が所定の向きに配置されるが、ここでは図示を省略する。
【００６２】
このように構成された液晶装置１００においては、液晶装置１００の観察者側（上基板２５側）から光が入射すると、当該光はＣＹＭのうち２色の着色層を介して反射膜２０に到達した後に、反射膜２０から観察者側に向けて反射光が出射される。また、一のサブ画素領域（ドット領域）における反射領域Ｈを微視的に見ると、２色の着色層は重ね合わせて形成されたものではないが、２色の着色層を透過して得られる反射光を巨視的に見ると、２色の着色層が混色されたような表示光が生じることとなる。
ここで、サブ画素領域（ドット領域）Ｄ１の反射領域Ｈにおいては、Ｙ及びＭの着色層が設けられているため、Ｙ及びＭが混色されたＲ（赤色）の表示光が生じる。
また、サブ画素領域（ドット領域）Ｄ２の反射領域Ｈにおいては、Ｍ及びＣの着色層が設けられているため、Ｍ及びＣが混色されたＢ（青色）の表示光が生じる。
また、サブ画素領域（ドット領域）Ｄ３の反射領域Ｈにおいては、Ｃ及びＹの着色層が設けられているため、Ｃ及びＹが混色されたＧ（緑色）の表示光が生じる。
そして、反射領域Ｈにおいては表面積を異ならせて着色層が形成されていることから、ＲＧＢの各々の色合いや色調が所望に調整されたものとなる。
【００６３】
また、液晶装置１００のバックライトが点灯することにより、バックライト光は基板本体１０Ａを経て重なり部Ｔ１の着色層を透過し、観察者側に向けて出射される。従って、透過領域Ｔの重なり部Ｔ１においては、２色の着色層を混色させたような表示光が生じることとなる。また、バックライト光は、基板本体１０Ａを経て開口部Ｔ２の着色層を透過し、観察者側に向けて出射される。従って、開口部Ｔ２においては、１色の着色層のみを透過した表示光が生じることとなる。従って、透過領域Ｔにおいては、重なり部Ｔ１を透過することで生じる混色と、開口部Ｔ２を透過することで生じる単色と、混在させた表示色が同時に生じることとなる。
ここで、サブ画素領域（ドット領域）Ｄ１の透過領域Ｔにおいては、Ｙ及びＭの着色層が設けられているため、Ｙ及びＭが混色されたＲ（赤色）の表示光が生じる。
また、サブ画素領域（ドット領域）Ｄ２の透過領域Ｔにおいては、Ｍ及びＣの着色層が設けられているため、Ｍ及びＣが混色されたＢ（青色）の表示光が生じる。
また、サブ画素領域（ドット領域）Ｄ３の透過領域Ｔにおいては、Ｃ及びＹの着色層が設けられているため、Ｃ及びＹが混色されたＧ（緑色）の表示光が生じる。
そして、透過領域Ｔにおいては開口部Ｔ２及び重なり部Ｔ１が設けられていることから、ＲＧＢの各々の色合いや色調が所望に調整されたものとなる。
【００６４】
上述したように、本実施形態の液晶装置１００においては、透過領域Ｔ及び反射領域Ｈの色合いや色調が調整されたものとなっていることから、単位画素ＰＸを構成するサブ画素領域（ドット領域）Ｄ１，Ｄ２，Ｄ３の各々は、所望に調整された色合いを有するＲ，Ｂ，Ｇの表示色を実現できる。更に、当該Ｒ，Ｂ，Ｇの表示色が調整されたことによって、より好ましい白バランスを有するフルカラーを実現できる。そして、開口部Ｔ２の開口面積を調整、或いは、反射領域Ｈの着色層の表面積を調整することにより、混色と単色の割合を調整することができ、換言すれば、色設計の自由度を広げることができる。
【００６５】
また、ＣＹＭの着色層の各々は、相互に隣接するサブ画素領域（ドット領域）の間を跨いで形成されているので、各着色層のみによって、各サブ画素領域（ドット領域）の反射領域Ｈ及び透過領域Ｔの一部を形成することができる。また、第１の単色の着色層と、第２の単色の着色層とが、各サブ画素（ドット）の両端において、相互に隣接するサブ画素（ドット）の間を跨ぐように形成されることにより、各サブ画素（ドット）の反射領域Ｈ及び透過領域Ｔを形成することができる。
【００６６】
また、着色層厚調整部２４が設けられているので、反射領域Ｈの着色層Ｃ，Ｙ，Ｍとの間に設けられた部材であり、透過領域Ｔと反射領域Ｈの着色層Ｃ，Ｙ，Ｍの層厚を調整することができる。これにより、反射領域Ｈの着色層Ｃ，Ｙ，Ｍを透過かつ反射する外光の総光路長と、透過領域Ｔを透過するバックライト光の光路長とが略同じ程度にすることが可能となる。これにより、反射領域Ｈと透過領域Ｔとにおいて光路長の差異によって生じる色合いや色調の相違を改善し、同程度にすることができる。更に、反射領域Ｈにおける着色層を底上げし、基板本体１０Ａ側から同じ高さで着色層Ｃ，Ｙ，Ｍを形成することができる。
【００６７】
また、平坦化層２３が設けられているので、開口部Ｔ２の形成部分が埋設され、透過領域Ｔの表面を平坦化することができる。また、上記の着色層厚調整部２４が設けられただけでは、改善できない着色層自身の膜厚の誤差や平坦性のバラツキを補完的に改善し、平坦化を施すことができる。
【００６８】
また、反射領域Ｈ及び透過領域Ｔにおいて、Ｙの着色層の面積が最も小さくなっているので、より好適な白バランスを実現できる。具体的には、Ｙの着色層の面積が多い場合では、ＣＹＭのサブ画素領域（ドット領域）からなる単位画素ＰＸにおける色三角形が、Ｙの側に分布する傾向があり、好適な白バランスが得られないことが本発明者らによって確認されている。そこで、Ｙの着色層の面積を最小にすることで、色三角形がＹの側に分布するのを抑制し、白バランスが好適に得られた色三角形を実現できる。
【００６９】
（第２実施形態）
次に、本発明の液晶装置に係る第２実施形態について図面を参照しつつ説明する。
本実施形態においては、上記の第１実施形態とは異なる部分について説明し、同一構成には同一符号を付して詳細な説明を省略している。
【００７０】
図６は、本実施形態に係る液晶装置の単位画素内における着色層の平面を示す模式図である。図６に示すように、単位画素ＰＸは、サブ画素領域（ドット領域）Ｄ１，Ｄ２，Ｄ３を具備し、各サブ画素領域（ドット領域）には、反射領域Ｈ及び透過領域Ｔが形成されている。
そして、本実施形態においては、開口部Ｔ２が透過領域Ｔの両端に設けられている。換言すれば、サブ画素領域（ドット領域）の紙面左右方向（短辺方向）の一端側と他端側に開口部Ｔ２が設けられている。当該開口部Ｔ２は、透過領域Ｔの両端に半円形に形成されている。そして、当該半円の直径Ｖは、透過領域Ｔの長辺方向の長さ（両端の辺の長さ）Ｗよりも短くなっている。
これにより、サブ画素領域（ドット領域）Ｄ１においては、開口部Ｔ２にはＭの着色層のみが形成されたものとなっている。また、サブ画素領域（ドット領域）Ｄ２においては、開口部Ｔ２にはＣの着色層のみが形成されたものとなっている。また、サブ画素領域（ドット領域）Ｄ３においては、開口部Ｔ２にはＣの着色層のみが形成されたものとなっている。
【００７１】
本実施形態によれば、ＣＹＭの着色層を各々形成するパターニング工程において、フォトマスクのアライメントがサブ画素領域（ドット領域）の紙面左右方向にずれてしまった場合、一端側の開口部Ｔ２の面積が増加し、他端側の開口部Ｔ２の面積が減少し、結果的に開口面積の増加量と減少量が同じになる。即ち、アライメントのずれが生じても開口面積が変化することがない。これにより、フォトマスクのアライメントのズレを許容する構造を実現でき、開口面積の増減に起因する透過領域Ｔの混色と単色の割合のズレを抑制できる。従って、透過領域における混色と単色の割合を安定化させることができ、ＣＹＭの着色層の色合いや色調、白バランスを安定化させることができる。
【００７２】
（第２実施形態の変形例）
次に、本発明の液晶装置に係る第２実施形態について図面を参照しつつ説明する。
図７は、本実施形態に係る液晶装置の単位画素内における着色層の平面を示す模式図である。図７に示すように、単位画素ＰＸは、サブ画素領域（ドット領域）Ｄ１，Ｄ２，Ｄ３を具備し、各サブ画素領域（ドット領域）には、反射領域Ｈ及び透過領域Ｔが形成されている。
そして、本実施形態においては、第２実施形態と同様に透過領域Ｔの両端に開口部Ｔ２が設けられていると共に、当該開口部Ｔ２は、透過領域Ｔの両端に矩形に形成されている。そして、透過領域Ｔの長辺方向における当該矩形の長さＸは、透過領域Ｔの長辺方向の長さＷと同じになっている。
これにより、サブ画素領域（ドット領域）Ｄ１においては、開口部Ｔ２にはＭの着色層のみが形成されたものとなっている。また、サブ画素領域（ドット領域）Ｄ２においては、開口部Ｔ２にはＣの着色層のみが形成されたものとなっている。また、サブ画素領域（ドット領域）Ｄ３においては、開口部Ｔ２にはＣの着色層のみが形成されたものとなっている。
【００７３】
このような構成においても、第２実施形態と同様に、パターニング工程においてフォトマスクのアライメントがサブ画素領域（ドット領域）の紙面左右方向にずれてしまった場合、一端側の開口部Ｔ２の面積が増加し、他端側の開口部Ｔ２の面積が減少し、結果的に開口面積の増加量と減少量が同じになる。即ち、アライメントのずれが生じても開口面積が変化することがない。これにより、フォトマスクのアライメントのズレを許容する構造を実現でき、開口面積の増減に起因する透過領域Ｔの混色と単色の割合のズレを抑制できる。従って、透過領域における混色と単色の割合を安定化させることができ、ＣＹＭの着色層の色合いや色調、白バランスを安定化させることができる。
【００７４】
また、図６及び図７に示した実施形態及び変形例おいては、上記のように同様の効果が得られるものの、当該図６及び図７を比較すると図６に示す透過領域Ｔの開口部Ｔ２の形態がより好ましい。具体的には、透過領域Ｔの両端の各々において、開口部Ｔ２が形成されている部分の長さは、両端の辺の長さＷよりも短いことが好ましい。
ここで、透過領域Ｔの両端全体に開口部Ｔ２が形成されている場合、即ち、図７のようにＸ＝Ｗとなっている場合には、フォトマスクのアライメントのズレが生じると、開口部Ｔ２の全体としての開口面積は変わらないものの、相殺される開口面積の増加量及び減少量が大きくなってしまう。これに対して、図６に示すように切欠（半円形の開口部Ｔ２）が形成されている場合、換言すれば、開口部Ｔ２が形成されている部分の長さが、両端の辺の長さよりも短い場合（Ｖ＜Ｗ）には、フォトマスクのアライメントのズレが生じると、開口部Ｔ２の全体としての開口面積は変わらないものの、相殺される開口面積の増加量及び減少量が、上記の場合よりも少なくすることができる。
【００７５】
（第３実施形態）
次に、本発明の液晶装置に係る第３実施形態について図面を参照しつつ説明する。
本実施形態においては、上記の第１実施形態とは異なる部分について説明し、同一構成には同一符号を付して詳細な説明を省略している。
【００７６】
図８は、本実施形態に係る液晶装置の単位画素内における着色層の平面を示す模式図である。図８に示すように、単位画素ＰＸは、サブ画素領域（ドット領域）Ｄ１，Ｄ２，Ｄ３を具備し、各サブ画素領域（ドット領域）には、反射領域Ｈ及び透過領域Ｔが形成されている。
そして、本実施形態においては、開口部Ｔ２が透過領域Ｔの中央に設けられている。
従って、サブ画素領域（ドット領域）Ｄ１においては、開口部Ｔ２にはＭの着色層のみが形成されたものとなっている。また、サブ画素領域（ドット領域）Ｄ２においては、開口部Ｔ２にはＣの着色層のみが形成されたものとなっている。また、サブ画素領域（ドット領域）Ｄ３においては、開口部Ｔ２にはＣの着色層のみが形成されたものとなっている。
このような構成においても、上記の第１実施形態と同様の効果を得ることができる。
【００７７】
（第４実施形態）
次に、本実施形態について図面を参照しつつ説明する。
本実施形態は、４色の着色層からカラーフィルタを構成している点において、３色の着色層からカラーフィルタを構成している上記実施形態と異なっている。なお、本実施形態においては、上記実施形態とは異なる部分について説明し、同一構成には同一符号を付して詳細な説明を省略する。
【００７８】
まず、図９及び図１０に基づいて、液晶装置１００の画素構成について説明する。
図９は、液晶装置の単位画素内の着色層を示す平面図である。図１０（ａ）は、図９に示す液晶装置のＡ−Ａ’線に沿った断面図であり、（ｂ）は、図９に示す液晶装置のＢ−Ｂ’線に沿った断面図である。
【００７９】
液晶装置の１画素ＰＸは、図９に示すように、４つのサブ画素領域（ドット領域）Ｄ１，Ｄ２，Ｄ３，Ｄ４から構成されている。そして、サブ画素領域（ドット領域）Ｄ１にはＲ（赤色）の着色層が設けられ、サブ画素領域（ドット領域）Ｄ２にはＧ（緑色）の着色層が設けられ、サブ画素領域（ドット領域）Ｄ３にはＢ（青色）の着色層が設けられ、サブ画素領域（ドット領域）Ｄ４にはＭ（マゼンダ）の着色層が設けられている。つまり、本実施形態の液晶装置１００のカラーフィルタは、４色の着色層から構成されている。なお、Ｍ（マゼンダ）の着色層の代わりに、Ｒの補色であるシアン又はＹ（イエロー）を用いることも可能である。
【００８０】
更に、サブ画素領域（ドット領域）Ｄ１，Ｄ２，Ｄ３，Ｄ４の各々は、図９に示すように、反射領域Ｈ及び透過領域Ｔを有している。反射領域Ｈにおいては外光を利用した反射表示を行い、透過領域Ｔにおいてはバックライトからの光を利用した透過表示を行うようになっている。
ここで、反射領域Ｈは、図９に示すように、３色の着色層（Ｃ、Ｍ、Ｙ）から選択される異なる組み合わせの２色の着色層が平面的に隣接されて配置された構成となっている。一方、透過領域Ｔは、図１０（ａ）に示すように、３色の着色層（Ｃ、Ｍ、Ｙ）から選択される異なる組み合わせの２色の着色層が積層された構成（２層構造）となっている。また、透過領域Ｔの一部には、開口部（２色の着色層のうち他方の着色層が開口された部分、切欠）Ｔ２が形成され、２色の着色層が積層されずに２色の着色層のうち一方の着色層が形成されている。なお、サブ画素領域（ドット領域）Ｄ１，Ｄ２，Ｄ３，Ｄ４のうち１つのサブ画素領域（ドット領域）は、他のサブ画素領域（ドット領域）との色の重複を回避するため、１層の単色の着色層から構成されている。
【００８１】
以下に各サブ画素領域（ドット領域）の構成について詳細に説明する。
サブ画素領域（ドット領域）Ｄ１にはＹ及びＭの着色層が配置され、サブ画素領域（ドット領域）Ｄ１ではＹ及びＭの着色層を透過する色を混色させて赤色を表示するようになっている。サブ画素領域（ドット領域）Ｄ１の反射領域Ｈは、図９及び図１０（ｂ）に示すように、Ｙ及びＭの着色層が平面的に隣接して配置されて構成されている。一方、透過領域Ｔは、図９及び図１０（ａ）に示すように、Ｙ及びＭの着色層が積層された重なり部Ｔ１と、重なり部Ｔ１の一部に形成された開口部Ｔ２とから構成されている。開口部Ｔ２は、Ｙの着色層の一部が切り欠かれて下層のＭの着色層が露出されることで、Ｍの着色層の一層から構成されている。
【００８２】
サブ画素領域（ドット領域）Ｄ２にはＣ及びＭの着色層が配置され、サブ画素領域（ドット領域）Ｄ２ではＣ及びＭの着色層を透過する色を混色させて青色を表示するようになっている。サブ画素領域（ドット領域）Ｄ２の反射領域Ｈは、図９及び図１０（ｂ）に示すように、Ｃ及びＭの着色層が平面的に隣接して配置されて構成されている。一方、透過領域Ｔは、図９及び図１０（ａ）に示すように、Ｃ及びＭの着色層が積層された重なり部Ｔ１と、重なり部Ｔ１の一部に形成された開口部Ｔ２とから構成されている。開口部Ｔ２は、Ｍの着色層（下層）の一部が切り欠かれた領域にＣの着色層が延設されることでＣの着色層の一層から構成されている。
【００８３】
サブ画素領域（ドット領域）Ｄ３にはＣ及びＹの着色層が配置され、サブ画素領域（ドット領域）Ｄ３ではＣ及びＹの着色層を透過する色を混色させて緑色を表示するようになっている。サブ画素領域（ドット領域）Ｄ３の反射領域Ｈは、図９及び図１０（ｂ）に示すように、Ｃ及びＹの着色層が平面的に隣接して配置されて構成されている。一方、透過領域Ｔは、図９及び図１０（ａ）に示すように、Ｃ及びＹの着色層が積層された重なり部Ｔ１と、重なり部Ｔ１の一部に形成された開口部Ｔ２とから構成されている。開口部Ｔ２は、Ｙの着色層の一部が切り欠かれた領域にＣの着色層が延設されることでＣの着色層の一層から構成されている。
【００８４】
サブ画素領域（ドット領域）Ｄ４にはＭの着色層の一色のみが配置されており、サブ画素領域（ドット領域）Ｄ４では着色層を透過したマゼンダ色を表示するようになっている。本実施形態では、シアン色、イエロー色、及びマゼンダ色の３色のうち、２色を混色させることによりＲ，Ｇ，Ｂの３原色の１色を再現している。そのため、４色の着色層を実現するためには、４つのサブ画素領域（ドット領域）Ｄ１，Ｄ２，Ｄ３，Ｄ４のうち、いずれか１つのサブ画素領域（ドット領域）を単色とする必要がある。具体的には、サブ画素領域（ドット領域）Ｄ４の透過領域Ｔは、図９及び図１０に示すように、サブ画素領域（ドット領域）Ｄ１，Ｄ２，Ｄ３における２層の着色層が積層された構造とは異なり、反射領域Ｈと同じ１層の着色層のみから構成されている。また、サブ画素領域（ドット領域）Ｄ４の反射領域Ｈは、サブ画素領域（ドット領域）Ｄ１，Ｄ２，Ｄ３における２層の着色層が平面的に隣接して配置されるのとは異なり、Ｍの単色の着色層のみから構成されている。つまり、サブ画素領域（ドット領域）Ｄ４にはベタ状に一層のＭの着色層が形成されている。
【００８５】
本実施形態によれば、Ｒ，Ｇ，Ｂの３原色のそれぞれ色を表示するサブ画素領域（ドット領域）Ｄ１，Ｄ２，Ｄ３に加え、Ｒ，Ｇ，Ｂとは異なる色を表示するサブ画素領域（ドット領域）Ｄ４が設けられることで、４色の着色層を有するカラーフィルタを提供することができる。これにより、カラーフィルタの色再現範囲を広げることができ、液晶装置の高精細化・広色域化を実現することができる。
【００８６】
（第５実施形態）
次に、本実施形態について図面を参照しつつ説明する。
本実施形態は、５色の着色層からカラーフィルタを構成している点において、３色又は４色の着色層からカラーフィルタを構成している上記実施形態と異なっている。なお、本実施形態においては、上記実施形態とは異なる部分について説明し、同一構成には同一符号を付して詳細な説明を省略する。
【００８７】
まず、図１１及び図１２に基づいて、液晶装置１００の画素構成について説明する。
図１１は、液晶装置の単位画素内の着色層を示す平面図である。図１２（ａ）は、図１１に示す液晶装置のＡ−Ａ’線に沿った断面図であり、（ｂ）は、図１１に示す液晶装置のＢ−Ｂ’線に沿った断面図である。
【００８８】
液晶装置の１画素ＰＸは、図１１に示すように、５つのサブ画素領域（ドット領域）Ｄ１，Ｄ２，Ｄ３，Ｄ４，Ｄ５から構成されている。そして、サブ画素領域（ドット領域）Ｄ１にはＲ（赤色）の着色層が設けられ、サブ画素領域（ドット領域）Ｄ２にはＧ（緑色）の着色層が設けられ、サブ画素領域（ドット領域）Ｄ３にはＢ（青色）の着色層が設けられ、サブ画素領域（ドット領域）Ｄ４にはＭ（マゼンダ）の着色層が設けられ、サブ画素領域（ドット領域）Ｄ５にはＣ（シアン）の着色層が設けられている。つまり、本実施形態の液晶装置１００のカラーフィルタは、５色の着色層から構成されている。なお、Ｍ（マゼンダ）及びＣ（シアン）の着色層の代わりにＹ（イエロー）を用いることも可能である。
【００８９】
更に、サブ画素領域（ドット領域）Ｄ１，Ｄ２，Ｄ３，Ｄ４，Ｄ５の各々は、図１１に示すように、反射領域Ｈ及び透過領域Ｔを有している。反射領域Ｈにおいては外光を利用した反射表示を行い、透過領域Ｔにおいてはバックライトからの光を利用した透過表示を行うようになっている。
ここで、反射領域Ｈは、図１１に示すように、３色（Ｃ、Ｍ、Ｙ）の着色層から選択される異なる組み合わせの２色の着色層が平面的に隣接されて配置された構成となっている。一方、透過領域Ｔは、図１２（ａ）に示すように、３色（Ｃ、Ｍ、Ｙ）の着色層から選択される異なる組み合わせの２色の着色層が積層された構成（２層構造）となっている。また、透過領域Ｔの一部には、開口部（２色の着色層のうち他方の着色層が開口された部分、切欠）Ｔ２が形成され、２色の着色層が積層されずに２色の着色層のうち一方の着色層が形成されている。なお、サブ画素領域（サブ画素（ドット）領域）Ｄ１，Ｄ２，Ｄ３，Ｄ４，Ｄ５のうち２つのサブ画素領域（サブ画素（ドット）領域）は、他のサブ画素領域（ドット領域）との色の重複を回避するため、１層の単色の着色層から構成されている。
【００９０】
以下に各サブ画素領域（ドット領域）の構成について詳細に説明する。
サブ画素領域（ドット領域）Ｄ１にはＹ及びＭの着色層が配置され、サブ画素領域（ドット領域）Ｄ１ではＹ及びＭの着色層を透過する色を混色させて赤色を表示するようになっている。サブ画素領域（ドット領域）Ｄ１の反射領域Ｈは、図１１及び図１２（ｂ）に示すように、Ｙ及びＭの着色層が平面的に隣接して配置されて構成されている。一方、透過領域Ｔは、図１１及び図１２（ａ）に示すように、Ｙ及びＭの着色層が積層された重なり部Ｔ１と、重なり部Ｔ１の一部に形成された開口部Ｔ２とから構成されている。開口部Ｔ２は、Ｙの着色層の一部が切り欠かれて下層のＭの着色層が露出されることで、Ｍの着色層の一層から構成されている。
【００９１】
サブ画素領域（ドット領域）Ｄ２にはＣ及びＭの着色層が配置され、サブ画素領域（ドット領域）Ｄ２ではＣ及びＭの着色層を透過する色を混色させて青色を表示するようになっている。サブ画素領域（ドット領域）Ｄ２の反射領域Ｈは、図１１及び図１２（ｂ）に示すように、Ｃ及びＭの着色層が平面的に隣接して配置されて構成されている。一方、透過領域Ｔは、図１１及び図１２（ａ）に示すように、Ｃ及びＭの着色層が積層された重なり部Ｔ１と、重なり部Ｔ１の一部に形成された開口部Ｔ２とから構成されている。開口部Ｔ２は、Ｍの着色層（下層）の一部が切り欠かれた領域にＣの着色層が延設されることでＣの着色層の一層から構成されている。
【００９２】
サブ画素領域（ドット領域）Ｄ３にはＣ及びＹの着色層が配置され、サブ画素領域（ドット領域）Ｄ３ではＣ及びＹの着色層を透過する色を混色させて緑色を表示するようになっている。サブ画素領域（ドット領域）Ｄ３の反射領域Ｈは、図１１及び図１２（ｂ）に示すように、Ｃ及びＹの着色層が平面的に隣接して配置されて構成されている。一方、透過領域Ｔは、図１１及び図１２（ａ）に示すように、Ｃ及びＹの着色層が積層された重なり部Ｔ１と、重なり部Ｔ１の一部に形成された開口部Ｔ２とから構成されている。開口部Ｔ２は、Ｙの着色層の一部が切り欠かれた領域にＣの着色層が延設されることでＣの着色層の一層から構成されている。
【００９３】
本実施形態では、シアン色、イエロー色、及びマゼンダ色の３色の着色層のうち、２色の着色層を混色させることにより１色の色を再現している。そのため、５色の着色層を実現するために、５つのサブ画素領域（ドット領域）Ｄ１，Ｄ２，Ｄ３，Ｄ４，Ｄ５のうちいずれか２つのサブ画素領域（ドット領域）（Ｄ４及びＤ５）を単色の着色層の構成としている。
サブ画素領域（ドット領域）Ｄ４にはＭの着色層の一色のみが配置されており、サブ画素領域（ドット領域）Ｄ４では着色層を透過したマゼンダ色を表示するようになっている。具体的には、サブ画素領域（ドット領域）Ｄ４の透過領域Ｔは、図１１及び図１２に示すように、サブ画素領域（ドット領域）Ｄ１，Ｄ２，Ｄ３における２層の着色層が積層された構造とは異なり、反射領域Ｈと同じ１層の着色層のみから構成されている。また、サブ画素領域（ドット領域）Ｄ４の反射領域Ｈは、サブ画素領域（ドット領域）Ｄ１，Ｄ２，Ｄ３における２層の着色層が平面的に隣接して配置されるのとは異なり、Ｍの単色の着色層のみから構成されている。つまり、サブ画素領域（ドット領域）Ｄ４にはベタ状に一層のＭの着色層が形成されている。
【００９４】
サブ画素領域（ドット領域）Ｄ５にはＣの着色層の一色のみが配置されており、サブ画素領域（ドット領域）Ｄ５では着色層を透過したシアン色を表示するようになっている。具体的には、サブ画素領域（ドット領域）Ｄ５の透過領域Ｔは、図１１及び図１２に示すように、サブ画素領域（ドット領域）Ｄ１，Ｄ２，Ｄ３における２層の着色層が積層された構造とは異なり、反射領域Ｈと同じ１層の着色層のみから構成されている。また、サブ画素領域（ドット領域）Ｄ５の反射領域Ｈは、サブ画素領域（ドット領域）Ｄ１，Ｄ２，Ｄ３における２層の着色層が平面的に隣接して配置されるのとは異なり、Ｃの単色の着色層のみから構成されている。つまり、サブ画素領域（ドット領域）Ｄ５にはベタ状に一層のＣの着色層が形成されている。
【００９５】
本実施形態によれば、Ｒ，Ｇ，Ｂの３原色のそれぞれ色を表示するサブ画素領域（ドット領域）Ｄ１，Ｄ２，Ｄ３に加え、Ｒ，Ｇ，Ｂとは異なる色を表示するサブ画素領域（ドット領域）Ｄ４及びＤ５が設けられることで、５色の着色層を有するカラーフィルタを提供することができる。これにより、カラーフィルタの色再現範囲を広げることができ、液晶装置の高精細化・広色域化を実現することができる。
【００９６】
（電子機器）
次に、本発明の上記実施形態の液晶装置を備えた電子機器の具体例について説明する。
図１３は、携帯電話の一例を示した斜視図である。図１３において、符号１０００は携帯電話本体を示し、符号１００１は上記液晶装置を用いた表示部を示している。
そして、このような携帯電話等の電子機器の表示部に、上記実施形態の液晶装置を用いられているので、ＲＧＢの各色の色調整が行われ、好適な白バランスが得られた表示部を備える電子機器を実現できる。
【図面の簡単な説明】
【００９７】
【図１】本発明の第１実施形態に係る液晶装置の等価回路図。
【図２】本発明の第１実施形態に係る液晶装置の電極構成を示す平面模式図。
【図３】本発明の第１実施形態に係る液晶装置の画素構成を示す平面模式図。
【図４】本発明の第１実施形態に係る液晶装置の画素構成を示す断面模式図。
【図５】本発明の第１実施形態に係る液晶装置の画素構成を示す断面模式図。
【図６】本発明の第２実施形態に係る液晶装置の画素構成を示す平面模式図。
【図７】本発明の第２実施形態の変形例に係る液晶装置の画素構成を示す平面模式図。
【図８】本発明の第３実施形態に係る液晶装置の画素構成を示す平面模式図。
【図９】本発明の第４実施形態に係る液晶装置の画素構成を示す平面模式図。
【図１０】本発明の第４実施形態に係る液晶装置の画素構成を示す平面模式図。
【図１１】本発明の第５実施形態に係る液晶装置の画素構成を示す平面模式図。
【図１２】本発明の第５実施形態に係る液晶装置の画素構成を示す平面模式図。
【図１３】本発明の電子機器の一例を示す斜視図。
【符号の説明】
【００９８】
９  共通電極（データ線、第２電極）、  １０  下基板（カラーフィルタ基板）、  ２３  平坦化層、  ２４  着色層厚調整部、  ３１  画素電極（第１電極）、  ５０  液晶層、  １００  液晶装置、  １０００  電子機器、  Ｈ  反射領域、  Ｔ  透過領域、  Ｔ２  開口部（２色の着色層のうち他方の着色層が開口された部分、２色の着色層が積層されずに２色の着色層のうち一方の着色層が形成された部分）、  Ｃ  シアン色、  Ｙ  イエロー色、  Ｍ  マゼンタ色、  ＰＸ  画素、  Ｄ，Ｄ１，Ｄ２，Ｄ３  サブ画素（ドット）、  Ｃ，Ｙ，Ｍ  着色層  
【図１】
2006276831.tif 000003
【図２】
2006276831.tif 000004
【図３】
2006276831.tif 000005
【図４】
2006276831.tif 000006
【図５】
2006276831.tif 000007
【図６】
2006276831.tif 000008
【図７】
2006276831.tif 000009
【図８】
2006276831.tif 000010
【図９】
2006276831.tif 000011
【図１０】
2006276831.tif 000012
【図１１】
2006276831.tif 000013
【図１２】
2006276831.tif 000014
【図１３】
2006276831.tif 000015